(57)【特許請求の範囲】
【請求項１】
蛇口であって、
蛇口本体と、
ソープ分配出口と、
前記蛇口から水を放出するための吐水口と、
を備える蛇口と、
前記蛇口に流体連結された分配ユニットであって、
ソープタンクと、
前記ソープタンクと前記ソープ分配出口との間で流体連結されたソープチューブと、
ソープを、前記ソープタンクから前記ソープチューブを介して前記ソープ分配出口の外部にポンプ送りするためのポンプと、
を備える、分配ユニットと、
前記吐水口及び前記ソープ分配出口の下流に配置されたエアレータであって、前記吐水口から分配される水とソープが混合することを可能とすることなくソープを分配するために、前記ソープ分配出口に流体連結された貫通部を備えている、エアレータと、
を備えることを特徴とする蛇口一体型ソープ分配システム。
【請求項２】
前記分配ユニットの制御装置に通信可能に連結された近接センサをさらに備えることを特徴とする請求項１に記載のシステム。
【請求項３】
前記近接センサが、
予め決定された距離内での対象の存在を検出し、且つ
前記ポンプにソープを前記ソープ分配出口を通してポンプ送りするよう指示する信号を前記制御装置に提供するように構成されていることを特徴とする請求項２に記載のシステム。
【請求項４】
前記近接センサが、前記蛇口本体の外面内及び前記蛇口本体の外面上の少なくとも１つに位置づけられていることを特徴とする請求項２に記載のシステム。
【請求項５】
前記分配ユニット、前記近接センサ及び前記ポンプの少なくとも１つに電力を提供するための電源をさらに備えていることを特徴とする請求項２に記載のシステム。
【請求項６】
前記分配ユニットに通信可能に連結されたオン／オフスイッチをさらに備えていることを特徴とする請求項２に記載のシステム。
【請求項７】
前記オン／オフスイッチは、作動されると、
前記近接センサへの動力のオンオフをトグル切り換えすることと、
前記制御装置への動力のオンオフをトグル切り換えすることと、
の一方のために前記分配ユニットに信号を送信するように構成されていることを特徴とする請求項６に記載のシステム。
【請求項８】
蛇口本体と、
前記蛇口本体に流体連結された電子的なソープディスペンサであって、
近接センサと、
前記近接センサに通信可能に連結された分配ユニットと、
ソープチューブを介して前記分配ユニットに流体連結されたソープ分配出口と、
を備える、電子的なソープディスペンサと、
を備えている蛇口一体型ソープ分配システムであって、
前記ソープ分配出口が、前記蛇口本体の端部に位置づけられた噴出ヘッド内に位置づけられており、
前記噴出ヘッドが、
ウォーターラインと水分配出口との間で流体連結された第１内部導管と、
前記ソープチューブと前記ソープ分配出口との間で流体連結された第２内部導管と、
を備えており、
前記蛇口一体型ソープ分配システムが、前記水分配出口及び前記ソープ分配出口の下流で前記噴出ヘッドの前記端部に配置されたエアレータをさらに備えており、
前記エアレータが、前記水分配出口から分配される水とソープが混合することを可能とすることなくソープを分配するために、前記ソープ分配出口に流体連結された貫通部を備えていることを特徴とする蛇口一体型ソープ分配システム。
【請求項９】
前記分配ユニットが、
通信ラインを介して前記近接センサに通信可能に連結された制御装置と、
前記ソープチューブを介して前記ソープ分配出口に流体連結されたソープタンクと、
前記制御装置に通信可能に結合されており、且つ対象が前記近接センサの予め決定された距離内に検出されたときに前記ソープ分配出口にソープをポンプ送りするために前記ソープタンクに流体連結された、ポンプと、
を備えていることを特徴とする請求項８に記載のシステム。
【請求項１０】
前記ソープ分配出口が、前記蛇口本体の内側及び前記蛇口本体の外側の少なくとも１つに位置づけられていることを特徴とする請求項８に記載のシステム。
【請求項１１】
前記水分配出口が、前記ソープ分配出口を環状に取り囲むことと、
前記水分配出口及び前記ソープ分配出口が、並んで配置されていることと、
の一方を特徴とする請求項８から１０のいずれか一項に記載のシステム。
【請求項１２】
前記ウォーターライン及び前記ソープチューブの少なくとも一方を包囲するホースをさらに備えていることを特徴とする請求項８から１０のいずれか一項に記載のシステム。
【請求項１３】
前記噴出ヘッドが、引抜型噴出ヘッドであり、
前記ホースが、前記ウォーターライン及び前記ソープチューブに流体結合されたままの一方で、前記引抜型噴出ヘッドを前記蛇口本体から離れるように引くことを可能にする余長を含んでいることを特徴とする請求項１２に記載のシステム。
【請求項１４】
前記ソープタンクが、前記蛇口本体と流体連結されるように、前記蛇口本体に直接取り付けられていることを特徴とする請求項９に記載のシステム。
【発明の詳細な説明】
【技術分野】
【０００１】
（関連仮出願に対する相互参照）
本出願は、２０１３年９月２６日付けで出願された米国仮出願番号６１／８８２，９６０の利益を主張するものであり、これにより、当該仮出願の開示は、その全体を参照することによって本明細書に組み込まれる。
【０００２】
本発明は、全体として、蛇口及びタッチフリー式ソープディスペンサに関する。
【背景技術】
【０００３】
従来のソープディスペンサは、交換可能なソープ容器を有する、固定されたカウンター一体型ユニットと、ポータブルユニット、例えばソープ分配吐出口を有するボトルと、を含んでいる。このようなソープディスペンサの１つの明確な欠点は、それらが、人がディスペンサの一部にタッチすることを必要とし、この一部が、人が除去したい極めて多くのタイプの細菌のすみかとなる可能性があることである。ソープを分配するタイミングを決定するために近接センサを使用するタッチフリー式ソープディスペンサが、現在利用可能である。しかしながら、このようなユニット、同様にそれらの典型的な対応物は、カウンター上に立設するか又はカウンターのデッキを介して独立して取り付けられなければならない独立した製品である。
【発明の概要】
【発明が解決しようとする課題】
【０００４】
概して、本発明の目的は、蛇口と一体化されたタッチフリー式ソープ分配システムを提供することである。
【課題を解決するための手段】
【０００５】
本明細書で開示される蛇口一体型タッチフリー式ソープ分配システムの実施形態は、デッキの上方の感知機構と、蛇口本体と完全に又は部分的に一体化することができるソープ分配（出口）ノズルと、を含むことができる。ソープタンク、電源及びポンプ機構を収納する分配ユニットは、デッキ（例えばカウンター又は洗面台デッキ）の下方に取り付けられ、且つソープチューブを介してソープ分配ノズルに流体接続することができる。他の実施では、分配ユニットの構成要素の１つ以上が、デッキの上方に取り付けられている。
【０００６】
本発明のさらなる他の目的及び利点は、明細書からある程度明白であり、且つある程度明らかになる。
【０００７】
結果として、本発明は、本明細書で記載される構造で例示されるすべての、構造の特徴、要素の組み合わせ及びパーツの配置を含み、本発明の範囲は、特許請求の範囲に記されている。
【０００８】
本発明の実施形態のより完全な理解のために、添付の図面と関連して与えられる以下の説明が参照される。
【図面の簡単な説明】
【０００９】
【図１】本発明のいくつかの実施形態に従った蛇口一体型タッチフリー式ソープ分配システムの概略図を示す。
【図２】いくつかの実施形態に従った一体型タッチフリー式ソープ分配システムを有する洗面所蛇口の斜視図を示す。
【図３】いくつかの実施形態に従った一体型タッチフリー式ソープ分配システムを有するキッチン蛇口を示す。
【図４Ａ】いくつかの実施形態に従った蛇口一体型タッチフリー式ソープ分配システムの斜視図を示す。
【図４Ｂ】いくつかの実施形態に従った蛇口一体型タッチフリー式ソープ分配システムの斜視図を示す。
【図５】いくつかの実施形態に従った噴出ヘッドの断面図を示す。
【図６】いくつかの実施形態に従った蛇口一体型タッチフリー式ソープ分配システムの一部分の概略図を示す。
【図７】本発明の蛇口一体型タッチフリー式ソープ分配システムの実施形態で組み込むことができる例示的な水濾過システムを示す。
【図８】本発明の蛇口一体型タッチフリー式ソープ分配システムの実施形態で組み込むことができるツーインワンエアレータを示す。
【発明を実施するための形態】
【００１０】
図面を参照すると、図１は、本発明のいくつかの実施形態に従った蛇口一体型タッチフリー式ソープ分配システム１００の概略図を示している。システム１００は、蛇口１０２を含み、蛇口１０２は、ソープ分配ノズル１０４、センサ１０６及びオン／オフスイッチ１０８を含んでいる。システム１００は、分配ユニット１１０をさらに含み、分配ユニット１１０は、ソープタンク１１２、ポンプ１１４、制御装置１１６及び電源（例えばバッテリー）１１８を収納している。センサ１０６は、手（又は他の対象、例えば汚れた皿）が、蛇口１０２の吐水口の下方の範囲に配置されたときを感知することができ、且つソープ分配ノズル１０４を介するソープの自動的なタッチフリー分配を始動させることができる。
【００１１】
図１に描くように、蛇口１０２は、単一ハンドル型キッチン蛇口であるが、蛇口１０２は、任意の適切なタイプの蛇口、例えば機械的に操作されるデュアル制御もしくはシングル制御型蛇口、引抜型蛇口、引下型蛇口又はキッチンもしくは洗面所（すなわち洗面台又は浴槽／シャワー）のためのハンズフリー電子センサ蛇口であってもよいことを理解されたい。
【００１２】
蛇口１０２は、取付デッキ（例えばカウンター）１０１から延在する蛇口本体１０２ｂと、水を分配するための吐水口１０２ａと、を含んでいる。蛇口１０２は、取付金具１０３のような図１に描く任意の適切な取付金具を使用してカウンター１０１に取り付けられる。手動の水制御部１０２ｃが、水温を調節するため且つ蛇口１０２を通る水の流れを制御するために混合バルブに機械的に連結されている。
【００１３】
ソープは、ソープ分配ノズル１０４を介して分配され、ソープ分配ノズル１０４は、図１に描くように、蛇口１０２の吐水口内に一体化されてもよい。蛇口１０２の吐水口にソープ分配ノズル１０４を一体化することは、使用者が吐水口の下方の範囲でセンサ１０６の領域に自身の手を配置したときにソープが自動的に分配されるので、特に有利である。しかしながら、他の実施形態では、ソープディスペンサ１０４は、蛇口１０２の任意の他の都合の良い場所に（例えば、図３に対して以下で説明する蛇口の本体の側面に又は図５に対して以下で説明する吐水口内に）位置づけられてもよい。
【００１４】
センサ１０６は、近接している対象の存在を感知することができる任意の適切なセンサであり、例えば容量センサ、誘導センサ、レーザー測距器、磁気センサ又は赤外線センサである。センサ１０６は、蛇口１０２上又は蛇口１０２の近くの適切な場所（例えば蛇口１０２の本体）に設置され、このため、ソープは、使用者の手がセンサ１０６の予め選択された距離（例えば６’’）内に来るとソープ分配ノズル１０４を介して分配される。例えば、ソープ分配ノズル１０４が蛇口１０２の吐水口に一体化されると、センサ１０６は蛇口１０２の本体上に位置づけられる。
【００１５】
オン／オフスイッチ１０８は、タッチフリー式ソープ分配機構のオンオフをトグル切り換えするためにシステム１００内に含まれる。このために、オン／オフスイッチ１０８は、通信ライン１２０を介して分配ユニット１１０の１つ以上の要素（例えば制御装置１１６及び／又はバッテリー１１８）と通信可能に連結され、通信ライン１２０は、適切なコネクタによる電気配線及び／又はワイヤレス接続を使用して実現されてもよい。いくつかの実施形態では、オン／オフスイッチ１０８は、蛇口１０２の本体上に設けられている。しかしながら、オン／オフスイッチは、蛇口１０２の吐水口上、カウンター１０１上又は分配ユニット１１０上を含む任意の他の都合の良い場所に設置されてもよい。
【００１６】
いくつかの実施形態によれば、分配ユニット１１０は、デッキ空間を最大化するためにデッキ１０１の下方に取り付けることができる。しかしながら、他の実施形態では、分配ユニット１１０の１つ以上の要素が、デッキ１０１の上方又は部分的に上方に配置されてもよい。分配ユニット１１０は、蛇口シャンクに又は壁もしくは他の適切な構造体に容易に取り付けるように構成することができる。分配ユニット１１０と蛇口１０２との間で流体連結された、十分な長さのソープチューブ１２２が、さまざまな取付場所を提供することができる。
【００１７】
分配ユニット１１０のソープタンク１１２が、例えばソープタンク１１２の頂部の近くに形成された開口部を介して液体ソープで再充填することができる固定型ボトル又は他の容器であってもよい。他の実施形態では、分配ユニット１１０は、適切なドッキング機構、例えばネジ式連結、１つ以上の留め具、又は重力の支援によりソープタンク１１２を保持するように構成された容器を介して予め充填されたソープボトルを受けてもよい。センサ１０６が、予め選択された距離内に対象の存在を感知すると、ポンプ１１４は、ソープタンク１１２から液体ソープをポンプ送りし、ソープチューブ１２２を介してソープ分配ノズル１０４から外部に出す。ポンプ１１４は、例えば従来型の液圧式ポンプ又は圧電液圧ポンプである。
【００１８】
制御装置１１６は、ソープを分配するかどうか及びソープを分配するタイミングを決定するためにシステム１００のさまざまな要素から信号を受信する。例えば、制御装置１１６は、対象がセンサ１０６から予め選択された距離内にあるかどうかを示す信号をセンサ１０６から受信し、この信号は、ソープの分配を始動させる。制御装置１１６がこのような信号を受信すると、制御装置１１６は、ポンプ１１４にソープタンク１１２からソープ分配ノズル１０４の外部にソープをポンプ送りし始めるよう指示する信号を伝達する。制御装置１１６は、オン／オフスイッチ１０８から信号を受信してもよく、これに応えて、センサ１０６への動力及び／又はポンプ１１４への動力のオンオフをトグル切り換えする。あるいは又は追加的に、オン／オフスイッチ１０８は、制御装置１１６への動力のオンオフをトグル切り換えしてもよい。
【００１９】
センサ１０６、ポンプ１１４及び制御装置１１６を含むシステム１００の要素を稼働させるための電力は、任意の適切な供給源又は供給源の組み合わせによってもたらされる。例えば、動力は、分配ユニット１１０内に位置づけられたバッテリー１１８によって、且つ／又はＡＣもしくはＤＣ電源から供給される。センサ１０６とオン／オフスイッチ１０８と分配ユニット１１０との間で電力及び／又は信号を中継するための通信ライン１２０は、ソープチューブ１２２、高温水供給ライン１２４及び低温水供給ライン１２６と並行して蛇口１０２へ延びている。
【００２０】
図２は、いくつかの実施形態に従った一体型タッチフリー式ソープ分配システム２００を有する洗面所蛇口の斜視図を示している。システム２００は、一体型ソープディスペンサノズル２０４及びセンサ２０６を有する蛇口２０２を含んでいる。分配ユニット２１０は、ソープタンク、ポンプ、制御装置及びバッテリーを含んでおり、ソープチューブとコネクタを有する電気配線とを介して蛇口に接続されており、デッキ２０１の下側に取り付けられている。取付金具２０３が、デッキ２０１の頂部側に蛇口２０２を取り付けるために設けられている。
【００２１】
図３は、いくつかの実施形態に従ったキッチン蛇口一体型タッチフリー式ソープ分配システム３００を示している。システム３００は、電子的な水制御部３３０及び手動の水制御部３０２ｃ双方を有するキッチン蛇口３０２と、電子的なソープディスペンサ３４０と、を含んでいる。システム３００は、カウンターに取り付けられ、且つカウンターの下方に取り付けられた分配ユニット（例えば図１の分配ユニット１１０）に連結されている。
【００２２】
電子的なソープディスペンサ３４０は、図１のセンサ１０６及びソープ分配ノズル１０４にそれぞれ対応するセンサ３４２及びソープ分配ノズル３４４を一体化している。電子的なソープディスペンサ３４０は、都合よく設置された一体型タッチフリー式ソープ分配ユニットを提供するために、蛇口３０２の本体の側面から外側に突出している。いくつかの実施形態では、電子的なソープディスペンサ３４０のハウジングは、使用者が要求に応じてセンサ３４２及びノズル３４４を再位置決めすることを可能にするために、蛇口３０２に回転可能に連結されている。
【００２３】
電子的な水制御部３３０は、制御装置に通信可能に連結されており、制御装置は、吐水口から分配される水の温度を制御するために、蛇口３０２の電子的に制御可能な混合バルブを調節することができる。制御装置は、電子的なソープディスペンサ３４０の稼働も制御する分配ユニットの制御装置（例えば図１の制御装置１１６）、又は電気的に制御可能な混合バルブを制御するために設けられた独立した制御装置であってもよい。あるいは、電子的な水制御部が、手動の混合バルブ３０２ｃをすでに通過した混合水の流れを制御するために使用され、この場合、オン／オフ制御部のみが、電子的に設けられ、温度は、混合バルブの手動での調節によって決定される。
【００２４】
いくつかの実施形態では、電子的な水制御部３３０は、蛇口３０２に近接する使用者の手の位置を感知することができる１つ以上の距離センサを採用する。１つ以上の距離センサは、低温側インジケータ３３２及び高温側インジケータ３３４に対する使用者の手の位置（又は他の適切な対象）を検出することによって使用者が水温を調節することを可能にする。デジタルディスプレイ又は機械的インジケータ（例えば温度計）として実現することができる温度インジケータ３３６が、選択された水温の表示を使用者に与える。いくつかの実施形態では、蛇口の下方での使用者の手の存在を感知して吐水口３０２ａから水の分配を開始させることができる近接センサ３３８が、（例えば吐水口３０２ａの近くの蛇口本体３０２の下側に）設けられている。
【００２５】
蛇口に電子的な水制御部及び電子的なソープディスペンサが設けられている実施形態、例えば図３に描いた実施形態では、制御装置（例えば図１の制御装置１１６）は、１つ以上の統制されたパターンでソープ及び水を分配するようにプログラムされてもよい。例えば、１つのパターンでは、制御装置は、ポンプ及び電気的に制御可能な混合バルブに、第１間隔（例えば２秒）では水のみを分配するように、第２間隔（例えば１秒）ではソープのみを分配するように、且つ第３間隔（例えば１０秒又は使用者の手がセンサに近接して感知されなくなるまで）では水のみを分配するように指示する。第２の例では、制御装置は、ポンプ及び電気的に制御可能な混合バルブに、第１間隔（約２秒）では水及びソープをともに分配するように、且つ第２間隔（例えば１０秒又は使用者の手がセンサに近接して感知されなくなるまで）では水のみを分配するように指示する。いくつかの実施形態では、使用者は、複数の予め規定されたパターンから選択すること、又は水及びソープを分配するためのカスタムパターンを規定することを許容される。
【００２６】
電子的に制御可能な混合バルブが設けられていない実施形態では、制御装置は、提供されるソープの投与量を制御してもよい。例えば、使用者の手がセンサに近接して検出されると、制御装置は、ポンプに予め規定された間隔（例えば２秒）でソープを分配するように指示する。任意の時点で、使用者は、手動の水制御機構を使用して、例えば蛇口３０２の混合バルブを手動で調節するために設けられた手動の水制御装置３０２ｃを使用して蛇口から水を手動で分配する。
【００２７】
図４Ａ及び図４Ｂは、いくつかの実施形態に従った、さらに別の蛇口一体型タッチフリー式ソープ分配システム４００の斜視図を示している。特に、図４Ａ及び図４Ｂは、カウンター４０１の上方の蛇口４０２に流体的に取り付けられたソープタンク４１２を示している。ソープタンク４１２は、ドッキング機構４１３を使用して蛇口４０２に取り外し可能に連結されており、ドッキング機構は、ネジ式連結部、１つ以上の留め具、又は重力の支援によりソープタンク４１２を保持するように構成された容器を含んでいる。ソープタンク４１２のデッキ上方での取付は、システム４００のためのソープを変更すること及び再充填することを容易にする。
【００２８】
水濾過システムが、同様の方式で蛇口４０２内に設けられることもできる（例えば図７参照）。
【００２９】
いくつかの実施形態では、ソープは、蛇口４０２の噴出ヘッド４５０内に位置づけられたソープディスペンサから分配される。それに応じて、蛇口４０２は、図５で説明するようにソープ及び水を分配するように構成されてもよく、図５は、いくつかの実施形態に従った噴出ヘッド４５０の断面図を示している。噴出ヘッド４５０は、出口４５２ａ及び４５４ａから外部に水及びソープをそれぞれ運ぶための内部導管４５２及び４５４を含んでいる。内部導管４５２及び４５４は、水を混合バルブから噴出ヘッド４５０へ運ぶウォーターライン４２５と、液体ソープをソープタンクから噴出ヘッド４５０へ運ぶソープチューブ４２２と、のそれぞれに流体連結されている。いくつかの実施形態では、ウォーターライン４２５及びソープチューブ４２２は、ともにホース４２７内で蛇口本体を通って延びている。他の実施形態では、ウォーターライン４２５及びソープチューブ４２２は、ホース内に制限されることなく蛇口本体を通って独立して延びている。
【００３０】
出口４５２ａ及び４５４ａは、蛇口４０２から水及びソープを分配するために吐水口４５０の端部に位置づけられた開口部であり、且つ任意の適切なレイアウトで配置されている。図５に描くように、出口４５２ａは、出口４５４ａを環状に取り囲んでいるが、他のレイアウト、例えば並んでいる配置が明らかに考えられる。
【００３１】
いくつかの実施形態では、出口４５２ａ及び４５４ａは、噴出ヘッド４５０の端部に配置されたツーインワンエアレータ４５６（図８参照）内に水及びソープを向ける。さまざまな実施形態では、ツーインワンエアレータ４５６は、（例えば圧入又はネジ式接続により）噴出ヘッド４５０に連結された独立した構成要素であるか、又はツーインワンエアレータ４５６は、噴出ヘッド４５０と一体的に形成されてもよい。ツーインワンエアレータ４５６は、噴出ヘッド４５０のための複数の有益な機能を提供する。
【００３２】
いくつかの実施形態では、ツーインワンエアレータ４５６は、出口４５２ａから分配された水とソープが混合することを可能にすることなく、ソープを出口４５４ａから直接分配することを可能にする貫通部を含んでいる。これらの実施形態では、ツーインワンエアレータ４５６の出口端部に配置されたワイヤメッシュスクリーンである、エアレータのスクリーンが、出口４５４ａに対応する開口部を含んでおり、これにより、ソープがメッシュスクリーンと相互作用することなく出口４５４ａから流れることを可能にする。他の実施形態では、ツーインワンエアレータ４５６は、出口４５２ａ及び４５４ａとスクリーンとの間に混合チャンバを含んでいる。これらの実施形態では、ソープ及び水は、噴出ヘッド４５０から分配される前に混合チャンバ内で混合される。
【００３３】
いくつかの実施形態では、蛇口４０２は、噴出ヘッド４５０を蛇口本体から離れるように引くことが可能である引抜タイプ蛇口である。ホース４２７は、噴出ヘッド４５０が蛇口４０２に対するそのドッキング位置にあるときに、たるむ。この余長は、噴出ヘッド４５０をその延在位置へ蛇口４０２から離れるように引くことを可能にする。しかしながら、ウォーターライン４２５及びソープチューブ４２２は、蛇口４０２が引抜型蛇口又は標準的な固定型蛇口であるかどうかにかかわらずホース４２７を通って経路を定められることを理解されたい。
【００３４】
図６は、いくつかの実施形態に従った、蛇口一体型タッチフリー式ソープ分配システム４００の一部分の概略図を示す。特に、図６は、どのようにウォーターライン４２５及びソープチューブ４２２が引抜型蛇口又は固定型蛇口のホース４２７を通って経路を定められるかを描いている。ポンプ４１４（例えば圧電性マイクロポンプ）は、ソープタンク４１２の開口部に連結されており、これによりポンプ４１４に通信可能に連結された制御装置４１６によって指示されるときにソープをソープチューブ４２２を通してポンプ送りする。バッテリー４１８又は別の適切な電源が、制御装置４１６及びポンプ４１４のための必要な動力を提供することができる。
【００３５】
ソープチューブ４２２は、第１セクション４２２ａ、連結部４２２ｂ及び第３セクション４２２ｃを含んでいる。第１セクション４２２ａは、第１端部においてポンプ４１４に且つ第２端部において連結部４２２ｂを介して第３セクション４２２ｃに流体連結されている。ソープチューブ４２２のさまざまなセクションの連結は、例えば１つ以上の摩擦連結、ネジ式連結又はクランプを使用してなされる。同様に、ウォーターライン４２５は、第１セクション４２５ａ、連結部４２５ｂ及び第３セクション４２５ｃを含んでいる。第１セクション４２５ａは、第１端部において蛇口４０２の混合バルブに且つ第２端部において連結部４２５ｂを介して第３セクション４２５ｃに流体連結されている。
【００３６】
結果として、本発明の実施形態は、独立した機械的又はタッチフリー式ソープディスペンサの必要性を排除する。ソープディスペンサを蛇口と一体化することは、水出口に近接することが最も必要とされる場所でソープを手動でポンプ送りして提供することを排除することによって日常的な作業を簡単にする。本発明の実施形態は、水、エネルギー及び時間を節約するだけでなく、有益なことに、キッチン及び浴槽カウンター並びにデッキ不動産を自由にする。
【００３７】
開示された実施形態は、電気を使用することなく機械的に動作するが、本発明の実施形態は、ソフトウエアもしくはハードウエア又は双方の組み合わせの制御論理の形態で実施することができる。例えば、特別な実施形態は、用途特有の一体型回路又はプログラムされた論理回路を使用することによって実施される。全体として、特別な実施形態の機能は、当技術分野で公知の任意の適切な手段によって達成される。データ又は指示の通信又は伝送は、有線、無線で又は任意の他の適切な手段によって行われる。また、本発明の実施形態の要素は、特定の用途に従って有益なように可能とされるか又は不可能とされる。
【００３８】
さらに、上記から明らかとされる側面、特徴及び利点は、効率的に達成され、また、所定の変更が、本発明の精神及び範囲から逸脱することなく開示された本発明の実施形態においてなされるので、本明細書に含まれるすべての事項が説明的であり且つ限定的な意味でないと解釈されるべきであるということが意図されることを理解されたい。
【００３９】
以下の特許請求の範囲は、本明細書で説明された本発明の包括的且つ特別な特徴の全てをカバーし、本発明の範囲の全ての提示は、記載事項として、提示の中間に属するといわれてもよいことも理解されたい。
【符号の説明】
【００４０】
１０２，２０２，３０２，４０２  蛇口、１０２ａ，３０２ａ  吐水口、１０２ｂ  蛇口本体、１０４，２０４  ソープ分配出口、１０６，３４２  近接センサ、１０８  オン／オフスイッチ、１１０  分配ユニット、１１２，４１２  ソープタンク、１１４，４１４  ポンプ、１１６，４１６  制御装置、１１８，４１８  電源、１２０  通信ライン、１２２，４２２  ソープチューブ、３３０  電子的な水制御部、３４０  電子的なソープディスペンサ、４２５  ウォーターライン、４２７  ホース、４５０  噴出ヘッド、４５２  第１内部導管、４５２ａ  水分配出口、４５４  第２内部導管、４５６  エアレータ
【図１】
0006476171.tif 000002
【図２】
0006476171.tif 000003
【図３】
0006476171.tif 000004
【図４Ａ】
0006476171.tif 000005
【図４ｂ】
0006476171.tif 000006
【図５】
0006476171.tif 000007
【図６】
0006476171.tif 000008
【図７】
0006476171.tif 000009
【図８】
0006476171.tif 000010